【事件の表示】
　平成　８年特許願第１９１９３４号「平板型マイクロレンズ」拒絶査定に対する審判事件〔平成１０年　２月１３日出願公開、特開平１０−　３９１１０、請求項の数（８）〕について、次のとおり審決する。
【結　論】
　原査定を取り消す。
　本願の発明は、特許すべきものとする。
【理　由】
（手続の経緯及び本願発明）
　本願は、平成８年７月２２日の出願であって、特許請求の範囲の請求項１ないし８に係る発明（以下、「本願発明１ないし８」という。）は、補正された明細書及び図面の記載からみて、その請求項１ないし８に記載された事項により特定される次のとおりのものである。
　「【請求項１】プロジェクタテレビジョン用の液晶表示素子を構成する平板型マイクロレンズであって、この平板型マイクロレンズは、ガラス基板表面にその形状が略球面の一部または略円柱の一部をなす複数の凹部が１次元または２次元状に配列され、これら凹部に基板よりも屈折率の高い透明樹脂材料を充填するか或いは凹部に基板よりも屈折率の高い透明樹脂材料を充填した面にカバーガラスを設けることで、前記凹部内を凸レンズまたはレンチキュラーレンズとし、前記ガラス基板の組成は以下の（組成１）乃至（組成４）の何れかであり、また前記透明樹脂材料は一般式（Ｒ’?Ｓ?Ｒ?Ｓ?Ｒ?Ｓ?Ｒ’）で表わされる樹脂を主剤とすることを特徴とする平板型マイクロレンズ。
　ただし、Ｓはイオウ、Ｒは環状不飽和炭化水素、環状飽和炭化水素、直鎖状不飽和炭化水素、直鎖状飽和炭化水素のいずれか、Ｒ’はエポキシ基、アクリロイル基、メタクリロイル基、イソシアネート基、アミノ基、アシル基、カルボキシル基、アルコキシシリル基、ビニル基を有する有機化合物のいずれかである。
（組成１）
　ＳiＯ2：４５重量％以上７５重量％以下
　Ｂ2Ｏ3：８．０重量％以上１９．０重量％以下
　ＢaＯ ：４．２重量％以上１４重量％以下
　ＭＯ（ＭはＢa以外の２価金属）：１０重量％以上３０重量％以下
　Ｒ2Ｏ（Ｒは１価金属）：１０重量％以下
（組成２）
　ＳiＯ2：４５重量％以上７５重量％以下
　Ｂ2Ｏ3：９．５重量％以上１２．５重量％以下
　ＢaＯ ：４．２重量％以上１４重量％以下
　ＭＯ（ＭはＢa以外の２価金属）：１０重量％以上３０重量％以下
　Ｒ2Ｏ（Ｒは１価金属）：１０重量％以下
（組成３）
　ＳiＯ2：４５重量％以上７５重量％以下
　Ｂ2Ｏ3：８．０重量％以上１９．０重量％以下
　ＢaＯ ：４．２重量％以上１４重量％以下
　ＭＯ（ＭはＢa以外の２価金属）：１０重量％以上３０重量％以下
　Ｒ2Ｏ（Ｒは１価金属）：１重量％以下
（組成４）
　ＳiＯ2：４５重量％以上７５重量％以下
　Ｂ2Ｏ3：８．０重量％以上１９．０重量％以下
　ＢaＯ ：４．２重量％以上１０重量％以下
　ＭＯ（ＭはＢa以外の２価金属）：１０重量％以上３０重量％以下
　Ｒ2Ｏ（Ｒは１価金属）：１０重量％以下
【請求項２】請求項１に記載の平板型マイクロレンズにおいて、前記主剤は、以下の（化１）で示されるビス［4-（2,3-エポキシプロピルチオ）フェニル］スルフィドであることを特徴とする平板型マイクロレンズ。
【化１】
           （省略）
【請求項３】請求項１に記載の平板型マイクロレンズにおいて、前記透明樹脂材料は主剤の他にカップリング剤を含有することを特徴とする平板型マイクロレンズ。
【請求項４】請求項３に記載の平板型マイクロレンズにおいて、前記カップリング剤は、γ?グリシドキシプロピルトリメトキシシランまたはγ?メルカプトプロピルトリメトキシシランであることを特徴とする平板型マイクロレンズ。
【請求項５】請求項１に記載の平板型マイクロレンズにおいて、前記透明樹脂材料は主剤の他にチオール系硬化剤を含有することを特徴とする平板型マイクロレンズ。
【請求項６】請求項５に記載の平板型マイクロレンズにおいて、前記チオール系硬化剤は、以下の（化２）で示されるペンタエリスリトールテトラキスチオプロピオネート、または以下の（化３）で示されるトリヒドロキシエチルイソシアヌレートβメルカプトプロピオン酸であることを特徴とする平板型マイクロレンズ。
【化２】
            （省略）
【化３】
            （省略）
【請求項７】請求項５または請求項６に記載の平板型マイクロレンズにおいて、前記チオール系硬化剤の他に硬化促進剤を含有することを特徴とする平板型マイクロレンズ。
【請求項８】請求項７に記載の平板型マイクロレンズにおいて、前記硬化促進剤は、以下の（化４）で示されるジブチルチンジラウレートであることを特徴とする平板型マイクロレンズ。
【化４】    
　　　　　　（省略）
」
（原査定の理由）
　本願発明１、２は、原査定の拒絶理由に引用された特開平８−１７９２９９号公報（以下、「引用例１」という。）、同じく特開平８−１８３８１６号公報（以下、「引用例２」という。）、同じく特開平５−１９４６７２号公報（以下、「引用例３」という。）、原査定の備考欄に引用された特開平８−１０９０３７号公報（以下、「引用例４」という。）及び同じく特開平７−３００３３６号公報（以下、「引用例５」という。）に記載された各発明に基いて当業者が容易に発明ができたものであり、本願発明３ないし８は、上記引用例１ないし５、原査定の拒絶理由に引用された特開平６−３２９９８８号公報（以下、「引用例６」という。）、同じく特開平５−２６４８０６号公報（以下、「引用例７」という。）、同じく特開平３−２１５８０１号公報（以下、「引用例８」という。）及び同じく特開平２−７５６１３号公報（以下、「引用例９」という。）に記載された各発明に基いて当業者が容易に発明ができたものである、というにある。
（引用例）
　引用例１ないし５には、次の発明が記載されている。
　引用例１；
（１）平板型レンズアレイおよびそれを用いた液晶表示素子に関するもので、特許請求の範囲には、
「【請求項１】
　ガラス基板表面に１次元または２次元に配列した略球面状または略円筒状の複数の凹部を有し、前記ガラス基板よりも屈折率の高い透明材料を前記凹部に充填することで凸レンズまたはレンチキュラーレンズとした平板型レンズアレイにおいて、
　前記透明材料は導電性を有する樹脂であり、
さらに前記充填された樹脂上に、電気泳動法により形成された金属酸化物粒子の凝集体膜を有することを特徴とする平板型レンズアレイ。
【請求項２】
　前記透明材料は導電性微粉末を混練分散した光硬化性エポキシ樹脂材料である請求項１に記載の平板型レンズアレイ。
・・・・・・・・・・・・・・・・・・・・・・」
と記載される。
（２）具体例には、前記ガラス基板として石英基板を使用することが記載される。
　引用例２；
（１）一般式（Ｉ）で表されるビニルオリゴマー１００〜５重量％、及び、前記ビニルオリゴマーと共重合可能である化合物０〜９５重量％からなる硬化性樹脂組成物、が記載される。
（２）段落【０００１】には、「【発明の属する技術分野】本発明は、硬化性樹脂組成物に関し、更に詳しくは、眼鏡用プラスチックレンズ、フレネルレンズ、レンチキュラーレンズ、光ディスク基盤、プラスチック光ファイバー、ＬＣＤ用プリズムシート、導光板等の光学材料、・・・・、特に光学材料として極めて有用な硬化性樹脂組成物に関する。」と記載される。
　引用例３；
（１）一般式〔Ｉ〕で示されるビス（メタ）アクリレート化合物Ａ、一般式〔II〕、〔III〕および〔IV〕でそれぞれ示されるメルカプト化合物Ｂおよび一般式〔Ｖ〕で示されるスチレン化合物Ｃを含んでなる組成物を熱および（または）活性エネルギー線および（または）エチレン性不飽和結合に対するラジカル発生剤の作用に付すことによって重合硬化させてなる樹脂からなる高屈折率光学材料、が記載される。
（２）段落【０００１】には、「【産業上の利用分野】本発明は、高屈折率光学材料、特に高屈折率でかつ耐衝撃性に優れたレンズ用樹脂、に関する。」と記載される。
　引用例４；
　フラットパネルディスプレー装置に特に有用なアルミノケイ酸塩ガラスに関するもので、特許請求の範囲の請求項１には、「歪点が640 ℃より高く、95℃で５重量％の塩酸水溶液中に24時間に亘り浸漬した後の損失重量が20ｍｇ／ｃｍ2 未満であり、線熱膨脹係数が31×10-7／℃と57×10-7／℃との間の範囲にあり、アルカリ金属酸化物を実質的に含まず、酸化物基準の重量パーセントで計算して、55％?67％のＳｉＯ2 と、６％?14％のＡｌ2 Ｏ3 と、０％?15％のＢ2 Ｏ3 と、０％?21％のＢａＯ、０％?15％のＳｒＯ、０％?18％のＣａＯ、および０％?８％のＭｇＯからなる群より選択される少なくとも１種類のアルカリ土類金属酸化物とから実質的になり、ここでＳｉＯ2 ＋Ａｌ2 Ｏ3 の合計が68％より大きく、ＢａＯ＋ＣａＯ＋ＳｒＯ＋ＭｇＯの合計が12％?30％であることを特徴とするアルミノケイ酸塩ガラス。」と記載される。
　引用例５；
　特に、薄いフィルム状のトランジスタが組み込まれた液晶表示装置に使用することを意図したアルカリ非含有( アルカリフリー) ガラス組成物に関するもので、特許請求の範囲の請求項１には、
「 以下の成分より本質的になり、
SiO2           60.0〜63.0 mol ％
Al2O3          9.5〜12.0 mol ％
SiO2 + Al2O3の合計量が70.5〜73.0 mol ％の範囲内、
B2O3           9.0〜11.5 mol ％
MgO           3.0〜13.0 mol ％
CaO            0 〜 8.0 mol ％
BaO            3.0〜9.0 mol ％
MgO + CaO + BaO の合計量が16.0〜19.0 mol ％の範囲内、
TiO2           0 〜 1.0 mol ％
P2O5           0〜1.0 mol ％
Fe2O3          0〜 0.2 mol ％
　アルカリ金属酸化物、酸化ストロンチウム及び酸化亜鉛を含まない、アルミノホウケイ酸ガラス組成物。」
と記載される。」
（対比・判断）
「本願発明１について」
　本願発明１と上記引用例１ないし５に記載された各発明とを比較検討する。
　引用例１ないし５には、本願発明１のように、プロジェクタテレビジョン用の液晶表示素子を構成する平板型マイクロレンズのガラス基板の組成が、請求項１の（組成１）乃至（組成４）の何れかであることの記載は何等ない。
　さらに論及するに、引用例４，５に記載されるアルミノケイ酸塩ガラスはAl2O3 を含有するもので、本願発明１のものとは異なる。
　したがって、本願発明１は、引用例１ないし５に記載された各発明に基いて当業者が容易に発明をすることができたものであるとはいえない。
「本願発明２について」
　本願発明２は本願発明１の構成をさらに限定したものであるから、上記「本願発明１について」の項で述べたことと同様な理由により、本願発明２は、引用例１ないし５に記載された各発明に基いて当業者が容易に発明をすることができたものであるとはいえない。
「本願発明３ないし８について」
　本願発明３ないし８は、本願発明１の構成をさらに限定したものであるから、上記引用例６ないし９の記載内容について言及することなく、上記「本願発明１について」の項で述べたことと同様な理由により、引用例１ないし９に記載された各発明に基いて当業者が容易に発明をすることができたものであるとはいえない。
（むすび）
　以上のとおり、本願発明１、２は、引用例１ないし５に記載された各発明に基いて当業者が容易に発明をすることができたものであるとすることはできず、また本願発明３ないし８は、引用例１ないし９に記載された各発明に基いて当業者が容易に発明をすることができたものであるとすることはできない。
  また、他に拒絶理由を発見しない。
　よって、結論のとおり審決する。